(57)【要約】【課題】  複数台の基地局の設置や移動局の他の基地局への接続に際しても簡単にチャネル設定を行い得る無線パケット通信システムを提供すること。【解決手段】  この無線パケット通信システムは、有線サブネットワーク３ａに接続された基地局（親局）１ａ，１ｂと、基地局１ａとの間で無線通信を行う移動局（子局）２ａ，２ｂと、基地局１ｂとの間で無線通信を行う移動局（子局）２ｃ，２ｄとから構成される。基地局１ａはチャネルＣｈ１を用いて自局に属する移動局２ａ，２ｂと無線通信を行い、移動局２ａ，２ｂが互いに無線通信を行う場合にもチャネルＣｈ１を用いる。同様に基地局１ｂはチャネルＣｈ２を用いて移動局２ｃ，２ｄと無線通信を行い、移動局２ｃ，２ｄが互いに無線通信を行う場合にもチャネルＣｈ２を用いる。移動局２ａ，２ｂや移動局２ｃ，２ｄと基地局１ａ，１ｂとはそれぞれチャネルＣｈ１，Ｃｈ２を変更設定できる。【選択図】  図１
2006340405.tif 000002
【特許請求の範囲】
【請求項１】
複数の無線サブネットワークのそれぞれを管理する複数の親無線局がそれぞれ複数の無線周波数チャネルの中から選択した一つのチャネルを設定して該当する無線サブネットワークに接続されている複数の子無線局と無線通信を行い、前記無線局が自局が管理する無線サブネットワーク以外の無線サブネットワークとの干渉を検出した際に新たなチャネルを選択し前記新たなチャネルへの変更設定を行う無線パケット通信システムであって、
前記干渉を検出した親無線局が、前記新たなチャネルに変更設定を行う前に、自局が管理する無線サブネットワークに接続される前記複数の子無線局に対して新たに選択したチャネルを通知することを特徴とする無線パケット通信システム。
【請求項２】
前記干渉を検出した親無線局から前記複数の子無線局に対する新たに選択したチャネルの通知を変更設定を行う前のチャネルを用いて行うことを特徴とする請求項１記載の無線パケット通信システム。
【発明の詳細な説明】
【技術分野】
【０００１】
本発明は、主として親無線局が選択したチャネル設定に応じて複数の子無線局との間で無線通信を行う無線パケット通信システムであって、詳しくは複数の親無線局及び複数の子無線局がそれぞれ他局との間で制御パケットを送受してチャネルの変更設定を行う無線パケット通信システムの子無線局及び親無線局に関する。
【背景技術】
【０００２】
従来、この種の無線パケット通信システムとしては、例えば文献（ＤｒａｆｔＳｔａｎｄａｒｄ ＩＥＥＥ８０２．１１，Ｐ８０２．１１Ｄ２．０，Ｗｉｒｅｌｅｓｓ
ＬＡＮ Ｍｅｄｉｕｍ Ａｃｃｅｓｓ Ｃｏｎｔｒｏｌ ａｎｄＰｈｙｓｉｃａｌ Ｌａｙｅｒ Ｓｐｅｃｉｆｉｃａｔｉｏｎｓ）に示されているものが挙げられる。
【０００３】
この無線パケット通信システムでは、一つの無線リンクが有線ネットワーク網に接続された１台の基地局と複数台の移動局とによって共有されており、基地局毎に伝搬環境及び通信トラヒックの予測に基づいてチャネルが固定的に割り振られている。移動局では自局が属する無線リンクで用いるチャネルをユーザーが手動で設定している。
【発明の開示】
【発明が解決しようとする課題】
【０００４】
上述した無線パケット通信システムの場合、複数台の基地局を設置すると、運用中に伝搬環境や通信トラヒックが変化すれば再度基地局に割り振るチャネルの配置設計を行う必要があると共に、移動局が移動して他の基地局に接続する際にはユーザーが移動先の基地局が用いているチャネルを調べて手動で再設定を行う必要があるため、ユーザーにとっては使用条件の変化に際して使用上における不便さを伴うという問題がある。
【０００５】
本発明は、このような問題点を解決すべくなされたもので、その技術的課題は、複数台の基地局の設置や移動局の他の基地局への接続に際しても簡単にチャネル設定を行い得る無線パケット通信システムを提供することにある。
【課題を解決するための手段】
【０００６】
本発明によれば、複数の無線サブネットワークのそれぞれを管理する複数の親無線局がそれぞれ複数の無線周波数チャネルの中から選択した一つのチャネルを設定して該当する無線サブネットワークに接続されている複数の子無線局と無線通信を行う無線パケット通信システムにおいて、複数の親無線局及び複数の子無線局は、それぞれ他局との間で制御パケットの送受を行うことによって自動的に自局の移動並びに複数の無線サブネットワーク同士の干渉を検出した結果に基づいてチャネルの変更設定を行う無線パケット通信システムが得られる。
【０００７】
又、本発明によれば、上記無線パケット通信システムにおいて、複数の親無線局及び複数の子無線局は、それぞれ自局が他局からの制御パケットとしてチャネル切り替え要求パケットを受信したときにチャネルを選択し直す無線パケット通信システムが得られる。
【０００８】
更に、本発明によれば、上記無線パケット通信システムにおいて、複数の親無線局は、それぞれ一定時間毎に制御パケットとしてチャネル使用通知パケットを送信するものであり、複数の子無線局は、自局が接続される複数の親無線局のうちの特定のものからのチャネル使用通知パケットを一定時間受信しなかったときにチャネルを選択し直す無線パケット通信システムが得られる。
【０００９】
加えて、本発明によれば、上記無線パケット通信システムにおいて、複数の親無線局は、それぞれ複数の無線サブネットワークのうちの特定ものに係る自局が他のものに係る他局からチャネル使用通知パケットを受信したときにチャネルを選択し直す無線パケット通信システムが得られる。
【００１０】
これらの無線パケット通信システムにおいて、複数の親無線局は、それぞれチャネルを選択し直して該チャネルを切り替えるときに複数の無線サブネットワークのうちの自局が管理するものに接続される複数の子無線局のうちの該当するものに対して新たに選択したチャネルを通知することは好ましい。
【００１１】
又、これらの無線パケット通信システムにおいて、複数の子無線局は、それぞれ複数の親無線局のうちの特定のものの接続関係に無い他の無線サブネットワークの親無線局からチャネル使用通知パケットを受信したときに自局が接続されている親無線局との接続確認を行い、該親無線局との接続が確認できないときにチャネルを選択し直すことは好ましい。更に、この無線パケット通信システムにおいて、複数の子無線局は、それぞれ複数の親無線局のうちの特定のものの接続関係に無い他の無線サブネットワークの親無線局に接続される他局からチャネル使用通知パケットを受信したときに自局が接続されている親無線局との接続確認を行い、該親無線局との接続が確認できないときにチャネルを選択し直すことは好ましい。
【００１２】
一方、これらの何れかの無線パケット通信システムにおいて、複数の子無線局は、それぞれ複数の親無線局のうちの特定のものの接続関係に無い他の無線サブネットワークの親無線局からチャネル使用通知パケットを受信したときに自局が接続されている親無線局との接続確認を行い、該親無線局との接続が確認できたときに複数の親無線局のうちの他の無線サブネットワークに係るものに対してチャネル切り替え要求パケットを送信することや、複数の子無線局は、それぞれ複数の親無線局のうちの特定のものの接続関係に無い他の無線サブネットワークの親無線局からチャネル使用通知パケットを受信したときに自局が接続されている親無線局との接続確認を行い、該親無線局との接続が確認できたときに該複数の子無線局のうちの他の無線サブネットワークの親無線局に係るものに対してチャネル切り替え要求パケットを送信することは好ましい。
【００１３】
他方、これらの何れかの無線パケット通信システムにおいて、複数の子無線局は、それぞれ複数の親無線局のうちの特定のものの接続関係に無い他の無線サブネットワークの親無線局に接続される他局からチャネル切り替え要求パケットを受信したときに自局が接続される親無線局に該チャネル切り替え要求パケットを送信することは好ましい。
【発明の効果】
【００１４】
本発明の無線パケット通信システムによれば、それぞれの無線局が制御パケットを送受することによって、無線局が無線サブネットワーク間を移動するときに自局の移動を検出して移動先の無線サブネットワークで用いられているチャネルを動的に選択できるようになり、しかも無線サブネットワーク間での干渉を避け動的にチャネルの切り替えを行うことができるようになる。これにより、無線局の移動時にチャネルの再設定を行う必要が無くなると共に、無線サブネットワークの配置や伝搬環境及び通信トラヒックの変動等が生じた場合にもチャネルの配置設計をやり直す必要が無く、実際の伝搬環境や通信トラヒックに応じて自動的に各無線サブネットワークで用いられるチャネルを切り替えることが可能となる。
【発明を実施するための最良の形態】
【００１５】
以下に幾つかの実施例を挙げ、本発明の無線パケット通信システムについて、図面を参照して詳細に説明する。
【００１６】
最初に、本発明の無線パケット通信システムの基本構成を簡単に説明する。この無線パケット通信システムは、複数の無線サブネットワークのそれぞれを管理する複数の親無線局がそれぞれ複数の無線周波数チャネルの中から選択した一つのチャネルを設定して該当する無線サブネットワークに接続されている複数の子無線局と無線通信を行うもので、複数の親無線局及び複数の子無線局は、それぞれ他局との間で制御パケットの送受を行うことによって自動的に自局の移動並びに複数の無線サブネットワーク同士の干渉を検出した結果に基づいてチャネルの変更設定を行うものである。
【００１７】
ここで、複数の親無線局及び複数の子無線局は、それぞれ自局が他局からの制御パケットとしてチャネル切り替え要求パケットを受信したときにチャネルを選択し直すものとすることができる。又、複数の親無線局は、それぞれ一定時間毎に制御パケットとしてチャネル使用通知パケットを送信するものとし、複数の子無線局は、自局が接続される複数の親無線局のうちの特定のものからのチャネル使用通知パケットを一定時間受信しなかったときにチャネルを選択し直すものとすることができる。更に、複数の親無線局は、それぞれチャネルを選択し直してそのチャネルを切り替えるときに複数の無線サブネットワークのうちの自局が管理するものに接続される複数の子無線局のうちの該当するものに対して新たに選択したチャネルを通知するようにすることができる。
【００１８】
こうした無線パケット通信システムでは、複数の子無線局は、それぞれ複数の親無線局のうちの特定のものの接続関係に無い他の無線サブネットワークの親無線局からチャネル使用通知パケットを受信したときに自局が接続されている親無線局との接続確認を行い、その親無線局との接続が確認できないときにチャネルを選択し直すようにしたり、更に複数の子無線局は、それぞれ複数の親無線局のうちの特定のものの接続関係に無い他の無線サブネットワークの親無線局に接続される他局からチャネル使用通知パケットを受信したときに自局が接続されている親無線局との接続確認を行い、その親無線局との接続が確認できないときにチャネルを選択し直すようにすることが好ましい。
【００１９】
又、これらの何れかの無線パケット通信システムにおいて、複数の子無線局は、それぞれ複数の親無線局のうちの特定のものの接続関係に無い他の無線サブネットワークの親無線局からチャネル使用通知パケットを受信したときに自局が接続されている親無線局との接続確認を行い、その親無線局との接続が確認できたときに複数の親無線局のうちの他の無線サブネットワークに係るものに対してチャネル切り替え要求パケットを送信することや、複数の子無線局は、それぞれ複数の親無線局のうちの特定のものの接続関係に無い他の無線サブネットワークの親無線局からチャネル使用通知パケットを受信したときに自局が接続されている親無線局との接続確認を行い、その親無線局との接続が確認できたときに複数の子無線局のうちの他の無線サブネットワークの親無線局に係るものに対してチャネル切り替え要求パケットを送信するようにすれば良い。
【００２０】
更に、これらの何れかの無線パケット通信システムにおいて、複数の子無線局は、それぞれ複数の親無線局のうちの特定のものの接続関係に無い他の無線サブネットワークの親無線局に接続される他局からチャネル切り替え要求パケットを受信したときに自局が接続される親無線局にチャネル切り替え要求パケットを送信するようにすれば良い。
【００２１】
そこで、以下は幾つかの実施例を具体的に説明する。
【００２２】
（実施例１）
図１は、本発明の実施例１に係る無線パケット通信システムの基本構成を示したブロック図である。
【００２３】
この無線パケット通信システムは、有線サブネットワーク３ａに接続された基地局（親無線局）１ａ，１ｂと、基地局１ａとの間で無線通信を行う移動局（子無線局）２ａ，２ｂと、基地局１ｂとの間で無線通信を行う移動局（子無線局）２ｃ，２ｄとから構成される。
【００２４】
基地局１ａはチャネルＣｈ１を用いて自局に属する移動局２ａ，２ｂと無線通信を行い、移動局２ａ，２ｂが互いに無線通信を行う場合にもチャネルＣｈ１を用いる。同様に、基地局１ｂはチャネルＣｈ２を用いて移動局２ｃ，２ｄと無線通信を行い、移動局２ｃ，２ｄが互いに無線通信を行う場合にもチャネルＣｈ２を用いる。移動局２ａ，２ｂや移動局２ｃ，２ｄと基地局１ａ，１ｂとはそれぞれチャネルＣｈ１，Ｃｈ２を変更設定できる。但し、ここで基地局１ａ，１ｂと移動局２ａ〜２ｄとが全て固有のアドレスを持つものとするが、こうした場合にはチャネルＣｈ１，Ｃｈ２を区分して使用するのではなく、同一のチャネルを使用しても良い。
【００２５】
図２は、この無線パケット通信システムの無線局で送信される制御パケットを例示したものである。この制御パケットは、宛先アドレスＤＡ，送信元アドレスＳＡ，制御コマンド種別ＣＴ，ホストタイプＨＴ，及び親局アドレスＰＡから成っている。
【００２６】
このうち、宛先アドレスＤＡには、相手先の無線局のアドレス又は全ての無線局が受信を行うブロードキャストアドレスが含まれている。送信元アドレスＳＡには自局のアドレスが含まれ、制御コマンド種別ＣＴには制御パケットの種別が含まれている。又、制御コマンド種別ＣＴとしては、応答要求，応答，チャネル使用通知，チャネル切り替え要求等がある。ホストタイプＨＴには送信元の無線局が自局が親局か子局かの種別が含まれる。親局アドレスＰＡには、自局が子局の場合に接続している有線サブネットワーク３ａを管理している親局のアドレスが含まれる。尚、こうした制御パケットは、単体で送信することも可能であるが、他のデータパケット等の一部とすることもできる。
【００２７】
図３は、この無線パケット通信システムにおける移動局２ａ，２ｂや移動局２ｃ，２ｄでの通信制御の手順を示したフローチャートである。
【００２８】
ここでは、先ず基地局１ａ，１ｂが一定周期でチャネル使用通知パケットを送信しているときの移動局２ａ，２ｂや移動局２ｃ，２ｄにおける通信中の制御に関して説明するが、移動局２ａ，２ｂや移動局２ｃ，２ｄは現在接続している無線サブネットワークの基地局１ａ，１ｂのアドレスをＣＰ制御として保持しているものとする。
【００２９】
移動局２ａ，２ｂや移動局２ｃ，２ｄは通信開始と共にタイマースタート（ステップＳ１）を行い、制御パケットの受信の監視を制御パケット受信有りか否かを判定（ステップＳ２）する。この結果、制御パケット受信が無ければタイムアウトであるか否かを判定（ステップＳ５）し、タイムアウトした場合にはチャネル選択（ステップＳ６）を行ってからタイマースタート（ステップＳ１）の前にリターンして待機する。この処理は所定回数繰り返すようにしても良い。
【００３０】
又、制御パケット受信有りか否かの判定（ステップＳ２）で制御パケットを受信した場合には受信パケットのホストタイプＨＴを読み出すべく、ＨＴ＝ＰＨであるか否かを判定（ステップＳ３）し、ＨＴ＝ＰＨであれば受信パケットが基地局１ａ，１ｂから送信されたパケットとみなして受信パケットの送信元アドレスＳＡを読み出すべく、ＳＡ＝ＣＰであるか否かを判定（ステップＳ４）する。この結果、ＳＡ＝ＣＰであれば、受信パケットが移動局２ａ，２ｂや移動局２ｃ，２ｄから送信されたパケットとみなせないため、タイマースタート（ステップＳ１）の前にリターンして待機するが、ＳＡ＝ＣＰでなければ受信パケットが移動局２ａ，２ｂや移動局２ｃ，２ｄから送信されたパケットとみなせるため、親局アドレスＰＡを読み出し自局のＣＰと比較してＰＡ＝ＣＰであるか否かを判定（ステップＳ７）する。この結果、ＰＡ＝ＣＰであればタイマースタート（ステップＳ１）の前にリターンして待機する。
【００３１】
次に、ＳＡ＝ＣＰであるか否かの判定（ステップＳ４）により、ＳＡ＝ＣＰでない場合，即ち、受信した制御パケットが自局が接続している基地局１ａや基地局１ｂのうちの該当以外のものからの制御パケットである場合の処理に関し、移動局２ａ，２ｂや移動局２ｃ，２ｄは自局が登録している親局と接続確認（ステップＳ８）を行い、自局が登録している親局との接続がＯＫか否かを判定（ステップＳ９）する。この結果、接続がＯＫで確認されたならば、制御パケットを送信してきた基地局１ａや基地局１ｂに対してチャネル切り替え要求パケットを送信（ステップＳ１１）してからタイマースタート（ステップＳ１）の前にリターンして待機するが、接続がＯＫでなければ、チャネル選択（ステップＳ１０）を行ってからタイマースタート（ステップＳ１）の前にリターンして待機する。
【００３２】
更に、ＰＡ＝ＣＰであるか否かの判定（ステップＳ７）により、ＰＡ＝ＣＰでない場合，即ち、受信した制御パケットが自局が接続している基地局１ａや基地局１ｂの該当するもの以外のものに接続している移動局２ａ，２ｂや移動局２ｃ，２ｄからのパケットである場合の処理に関し、移動局２ａ，２ｂや移動局２ｃ，２ｄは受信パケットがチャネル切り替え要求パケットか否かを判定（ステップＳ１２）し、チャネル切り替え要求パケットであれば自局が接続している基地局１ａや基地局１ｂに対してチャネル切り替え要求パケットを送信（ステップＳ１７）してからタイマースタート（ステップＳ１）の前にリターンして待機するが、チャネル切り替え要求パケットでなければ、自局が登録している親局と接続確認（ステップＳ１３）を行った後、自局が登録している親局との接続がＯＫか否かを判定（ステップＳ１４）する。この結果、接続がＯＫで確認されたならば、制御パケットを送信してきた移動局２ａ，２ｂや移動局２ｃ，２ｄに対してチャネル切り替え要求パケットを送信（ステップＳ１６）してからタイマースタート（ステップＳ１）の前にリターンして待機するが、接続がＯＫでなければ、チャネル選択（ステップＳ１５）を行ってからタイマースタート（ステップＳ１）の前にリターンして待機する。
【００３３】
図４は、この無線パケット通信システムにおける基地局１ａや基地局１ｂにおける通信制御の処理手順を示したフローチャートである。
【００３４】
基地局１ａや基地局１ｂは、制御パケットの受信を制御パケット受信有りか否かにより判定（ステップＳ１）し、受信していなければこの処理の前にリターンして待機するが、受信していれば受信パケットのホストタイプＨＴを読み出すべく、ＨＴ＝ＰＨであるか否かを判定（ステップＳ２）する。この結果、ＨＴ＝ＰＨであって受信パケットが基地局１ａや基地局１ｂの該当するもの以外（他の基地局）からのパケットであったならば、チャネル選択（ステップＳ４）を行ってから制御パケット受信有りか否かの判定（ステップＳ１）の前にリターンして待機するが、ＨＴ＝ＰＨでなくて受信パケットが他の基地局からのパケットでなければ、チャネル切り替え要求パケットが有るか否かを判定（ステップＳ３）する。この結果、チャネル切り替え要求パケットが無ければ制御パケット受信有りか否かの判定（ステップＳ１）の前にリターンして待機するが、チャネル切り替え要求パケットが有ればチャネル選択（ステップＳ４）を行ってから制御パケット受信有りか否かの判定（ステップＳ１）の前にリターンして待機する。
【００３５】
図５は、この無線パケット通信システムにおける移動局２ａ，２ｂや移動局２ｃ，２ｄが基地局１ａや基地局１ｂとの接続確認を行う場合の処理手順を示したフローチャートである。但し、ここで基地局１ａや基地局１ｂは自局に接続される移動局２ａ，２ｂや移動局２ｃ，２ｄからの応答要求パケットを受信した場合に応答パケットを送信するものとする。
【００３６】
移動局２ａ，２ｂや移動局２ｃ，２ｄは接続確認時に自局が接続される基地局１ａや基地局１ｂに対して応答要求パケットを送信（ステップＳ１）してからタイマーをスタート（ステップＳ２）させた後、応答パケット受信有りか否かを判定（ステップＳ３）する。この結果、応答パケット受信が無ければタイムアウトか否かを判定（ステップＳ４）し、タイムアウトで無ければ応答パケット受信有りか否かを判定（ステップＳ３）の前にリターンして応答パケットの受信をタイムアウトまで待機するようにするが、タイムアウトしたならば接続確認不能と判断（ステップＳ５）してから処理を終了する。又、応答パケット受信有りか否かを判定（ステップＳ３）で応答パケットが受信されれば接続確認と判断（ステップＳ６）してから処理を終了する。
【００３７】
図６は、この無線パケット通信システムにおける基地局１ａや基地局１ｂが新しいチャネルを選択する際に自局に接続される移動局２ａ，２ｂや移動局２ｃ，２ｄに対して新規に選択したチャネルを通知する場合の処理手順を示したフローチャートである。
【００３８】
基地局１ａや基地局１ｂは、先ず新しいチャネルの選択（ステップＳ１）を行った後、選択前に使っていたチャネルを用いて新規に選択したチャネルの番号を移動局２ａ，２ｂや移動局２ｃ，２ｄに送信（ステップＳ２）する。次に、新しく選択したチャネルを用いて通信を開始（ステップＳ３）する。移動局２ａ，２ｂや移動局２ｃ，２ｄは、基地局１ａや基地局１ｂからの通知を受けた場合に基地局１ａや基地局１ｂが通知した新しいチャネルに切り替えて通信を行う。
【００３９】
（実施例２）
図７は、本発明の実施例２に係る無線パケット通信システムの基本構成を示したブロック図である。
【００４０】
この無線パケット通信システムは、有線サブネットワークに接続された基地局を含まない移動局２ｅ，２ｆ，２ｇ，２ｈ，２ｉ，２ｊのみで構成される無線サブネットワークである。このような構成においては、任意の移動局が親局となって無線サブネットワークの管理を行い、親局の選択したチャネルを用いて親局以外の移動局が通信を行う。
【００４１】
このような移動局のみで構成される独立したネットワークを構成する場合、実施例１のシステムにおいて基地局１ａや基地局１ｂが行っていた制御は親局となる移動局が行う。又、親局となる移動局が無線サブネットワーク間を移動する場合、元の無線サブネットワークでは他の移動局が新たに親局となる。これにより、基地局が存在しない無線サブネットワークにおいても、無線サブネットワーク間での干渉を避けることができ、移動局は移動先で用いられているチャネルを自動的に選択することができる。
【００４２】
（実施例３）
図８は、本発明の実施例３に係る無線パケット通信システムの基本構成を示したブロック図である。
【００４３】
この無線パケット通信システムは、実施例１のシステムと実施例２のシステムとが混在した形態であり、有線ネットワーク３ｂに接続された基地局１ｃとの間で無線通信を行う移動局２ｋ，２ｌと、独立して相互に無線通信を行う移動局２ｏ，移動局２ｐ，２ｑと、有線ネットワーク３ｂに接続された基地局１ｄとの間で無線通信を行う移動局２ｍ，２ｎと、独立して相互に無線通信を行う移動局２ｒ，２ｓ，２ｔとから構成されている。
【００４４】
この構成のように、基地局１ｃや基地局１ｄが存在する無線サブネットワークと基地局１ｃや基地局１ｄが存在しない無線サブネットワークとが混在する状況下では、実施例１で基地局１ａや基地局１ｂが行っていた処理を、基地局１ｃや基地局１ｄが存在する無線サブネットワークではこれらの基地局１ｃや基地局１ｄが行い、基地局１ｃや基地局１ｄが存在しない無線サブネットワークでは親局となる移動局が行う。これにより、基地局１ｃや基地局１ｄが存在する無線サブネットワークと、基地局１ｃや基地局１ｄが存在しない無線サブネットワークとが混在する状況下でも、実施例１のシステムや実施例２のシステムと同様に無線サブネットワーク間での干渉を回避することができ、移動局は移動先で用いられているチャネルを自動的に選択することができる。
【図面の簡単な説明】
【００４５】
【図１】本発明の実施例１に係る無線パケット通信システムの基本構成を示したブロック図である。
【図２】図１に示す無線パケット通信システムの無線局で送信される制御パケットを例示したものである。
【図３】図１に示す無線パケット通信システムにおける移動局での通信制御の手順を示したフローチャートである。
【図４】図１に示す無線パケット通信システムにおける基地局における通信制御の処理手順を示したフローチャートである。
【図５】図１に示す無線パケット通信システムにおける移動局が基地局との接続確認を行う場合の処理手順を示したフローチャートである。
【図６】図１に示す無線パケット通信システムにおける基地局が新しいチャネルを選択する際に自局に接続される移動局に対して新規に選択したチャネルを通知する場合の処理手順を示したフローチャートである。
【図７】本発明の実施例２に係る無線パケット通信システムの基本構成を示したブロック図である。
【図８】本発明の実施例３に係る無線パケット通信システムの基本構成を示したブロック図である。
【符号の説明】
【００４６】
１ａ，１ｂ，１ｃ，１ｄ 基地局
２ａ〜２ｄ，２ｅ〜２ｊ，２ｋ〜２ｔ 移動局
３ａ，３ｂ 有線ネットワーク
【図１】
2006340405.tif 000003
【図２】
2006340405.tif 000004
【図３】
2006340405.tif 000005
【図４】
2006340405.tif 000006
【図５】
2006340405.tif 000007
【図６】
2006340405.tif 000008
【図７】
2006340405.tif 000009
【図８】
2006340405.tif 000010